【手続補正書】
【提出日】平成28年4月22日(2016.4.22)
【手続補正１】
【補正対象書類名】特許請求の範囲
【補正対象項目名】全文
【補正方法】変更
【補正の内容】
【特許請求の範囲】
【請求項１】
少なくとも１つのブランクモールドと、
溶融ガラスのゴブを前記少なくとも１つのブランクモールドへ送り出すためのゴブ送り出し機構と、
前記少なくとも１つのブランクモールドの中に取り出し可能に挿入して、前記少なくとも１つのブランクモールド内でパリソンを形成するための少なくとも１つのプランジャと、
前記少なくとも１つのブランクモールドの垂直方向下方に位置する少なくとも１つのブローモールドと、
前記少なくとも１つのブランクモールド内で形成された前記パリソンを下げて、前記パリソンを前記少なくとも１つのブローモールドへ運ぶための移送機構と、
前記少なくとも１つのブローモールドの上へ取り外し可能に配置して、前記パリソンをガラス容器に吹込み成形するための吹込みヘッドと、
前記ブローモールドから前記ガラス容器を取り出すための取り出し機構と
を備える垂直ＩＳマシン。
【請求項２】
前記垂直ＩＳマシンが、複数のブランクモールド、複数のプランジャ、複数のブローモールド、および複数の吹込みヘッドを有するセクションを備え、前記セクション内のそのブランクモールド、プランジャ、ブローモールド、および吹込みヘッドの各々は、同時に動作するように配置および構成され、前記ゴブ送り出し機構は、溶融ガラスのゴブを前記セクション内の前記ブランクモールドへ同時に送り出し、前記移送機構が、前記セクション内の前記ブランクモールドに形成された前記パリソンを同時に下げて、前記パリソンを前記セクション内の前記ブローモールドへそれぞれ運び、前記取り出し機構が、それらのそれぞれのブローモールドから前記ガラス容器を同時に取り出す、請求項１に記載の垂直ＩＳマシン。
【請求項３】
前記垂直ＩＳマシンが、互いに隣接して近くに位置する複数の同一のセクションを備える、請求項２に記載の垂直ＩＳマシン。
【請求項４】
前記少なくとも１つのブランクモールドが、
一対のブランクモールドの半体を備え、それぞれが、前記ブランクモールドの両半体を１つにまとめて前記パリソンが内部で形成される前記少なくとも１つのブランクモールドを形成するように張り出し可能であり、前記ブランクモールドの両半体を互いから離れるように間隔をおいて配置して、前記移送機構が、それらが後退させられるときに前記ブランクモールドの両半体の中間の位置から前記パリソンを下げるときに前記移送機構を助けるように後退可能である、
請求項１に記載の垂直ＩＳマシン。
【請求項５】
各ブランクモールドの半体が、底のブランクモールドの半体および上側のブランクモールドの半体を備え、前記底のブランクモールドの半体が張り出して前記底のブランクモールドの両半体を１つにまとめて、前記上側のブランクモールドの半体が張り出して前記上側のブランクモールドの両半体をまとめる前に前記溶融ガラスのゴブを受け入れるように構成される、請求項４に記載の垂直ＩＳマシン。
【請求項６】
前記移送機構が、
一対の対向した移送機構の半体を備え、それぞれが、前記少なくとも１つのブランクモールド内に形成されたパリソンに係合するように張り出し、前記少なくとも１つのブランクモールド内で形成された前記パリソンを前記少なくとも１つのブローモールドへ運ぶように下げられ、前記少なくとも１つのブローモールド内の前記少なくとも１つのブランクモールド内で形成された前記パリソンを放すように後退し、前記少なくとも１つのブランクモールドに隣接する位置に戻されるように配置および構成される、
請求項１に記載の垂直ＩＳマシン。
【請求項７】
前記少なくとも１つのブランクモールドの下方および前記少なくとも１つのブローモールドの上方に位置する少なくとも１つの再加熱囲い板をさらに備え、
前記移送機構が、
前記少なくとも１つのブランクモールド内で形成された前記パリソンを前記少なくとも１つの再加熱囲い板へ下げるための第１の移送機構と、
前記パリソンを前記少なくとも１つの再加熱囲い板から下げて、前記パリソンを前記少なくとも１つのブローモールドへ運ぶための第２の移送機構と
を備える、
請求項１に記載の垂直ＩＳマシン。
【請求項８】
前記第１の移送機構が、
一対の対向した第１の移送機構の半体を備え、それぞれが、前記少なくとも１つのブランクモールド内に形成されたパリソンに係合するように張り出し、前記少なくとも１つのブランクモールド内で形成された前記パリソンを前記少なくとも１つの再加熱囲い板へ運ぶように下げられ、前記少なくとも１つの再加熱囲い板内の前記少なくとも１つのブランクモールド内で形成された前記パリソンを放すように後退し、前記少なくとも１つのブランクモールドに隣接する位置に戻されるように配置および構成され、
前記第２の移送機構が、
一対の対向した第２の移送機構の半体を備え、それぞれが、前記少なくとも１つの再加熱囲い板内で再加熱されたパリソンに係合するように張り出し、前記少なくとも１つの再加熱囲い板内で再加熱された前記パリソンを前記少なくとも１つのブローモールドへ運ぶように下げられ、前記少なくとも１つのブローモールド内の前記少なくとも１つのブランクモールド内で形成された前記パリソンを放すように後退し、前記少なくとも１つのブランクモールドに隣接する位置に戻されるように配置および構成される、
請求項７に記載の垂直ＩＳマシン。
【請求項９】
前記少なくとも１つの再加熱囲い板が、
一対の再加熱囲い板の半体を備え、それぞれが、前記モールドの両半体を１つにまとめて前記パリソンが内部で再加熱される前記少なくとも１つの再加熱囲い板を形成するように張り出し可能であり、前記再加熱囲い板の半体を互いから離れるように間隔をおいて配置して、前記第１の移送機構が、それらが後退させられるときに前記モールドの半体の中間の位置から前記パリソンを下げるときに前記第１の移送機構を助けるように後退可能である、
請求項７に記載の垂直ＩＳマシン。
【請求項１０】
前記少なくとも１つのブローモールドが、
一対のブローモールドの半体を備え、それぞれが、前記ブローモールドの両半体を１つにまとめて前記パリソンがガラス容器に吹込み成形される前記少なくとも１つのブローモールドを形成するように張り出し可能であり、前記ブローモールドの両半体を互いから離れるように間隔をおいて配置して、前記移送機構が、それらが後退させられるときに前記ブローモールドの両半体の中間の位置から前記ガラス容器を取り出すときに前記取り出し機構を助けるように後退可能である、
請求項１に記載の垂直ＩＳマシン。
【請求項１１】
前記少なくとも１つのブローモールドが、
底板を備え、
前記一対のブローモールドの半体が、前記一対のブローモールドの半体のそれらの底で前記底板に係合して前記少なくとも１つのブローモールドを形成する、
請求項１０に記載の垂直ＩＳマシン。
【請求項１２】
吹込みヘッド支持組立体と、
前記少なくとも１つのブローモールドの上の張り出した位置に張り出し可能であり、デッドプレートの上の後退した位置へ、少なくとも１つの前記吹込みヘッドから離れるように後退可能であるように配置および構成される吹込みヘッド支持アームであって、上昇位置および降下位置を有するように配置および構成もされる吹込みヘッド支持アームと、
前記吹込みヘッド支持アームが、前記張り出した位置へ張り出され、前記降下位置へ下げられたときに、前記少なくとも１つのブローモールド内でパリソンを吹くように配置および構成される前記吹込みヘッド支持アームの下に取り付けられる少なくとも１つの吹込みヘッドと
をさらに備える、請求項１に記載の垂直ＩＳマシン。
【請求項１３】
前記取り出し機構が、
後退した位置と、吹かれたガラス容器に係合して前記デッドプレートへのその取り出しを助けるための係合位置とを有するように配置および構成される少なくとも１つの一対の取り出しやっとこを備える、
請求項１２に記載の垂直ＩＳマシン。
【請求項１４】
少なくとも１つのブランクモールドと、
溶融ガラスのゴブを前記少なくとも１つのブランクモールドへ送り出すためのゴブ送り出し機構と、
前記少なくとも１つのブランクモールドの中に取り出し可能に挿入して、前記少なくとも１つのブランクモールド内で前記溶融ガラスのゴブからパリソンを形成するための少なくとも１つのプランジャと、
前記少なくとも１つのブランクモールドの下方に位置する少なくとも１つの再加熱囲い板と、
前記少なくとも１つのブランクモールド内で形成された前記パリソンを前記少なくとも１つの再加熱囲い板へ下げるための第１の移送機構と、
前記少なくとも１つの再加熱囲い板の下方に位置する少なくとも１つのブローモールドと、
前記パリソンを前記少なくとも１つの再加熱囲い板から下げて、前記パリソンを前記少なくとも１つのブローモールドへ運ぶための第２の移送機構と、
前記少なくとも１つのブローモールドの上へ取り外し可能に配置して、前記パリソンをガラス容器に吹込み成形するための吹込みヘッドと、
前記ブローモールドから前記ガラス容器を取り出すための取り出し機構と
を備える垂直ＩＳマシン。
【請求項１５】
ブランクモールドと、.
溶融ガラスのゴブを前記ブランクモールドへ送り出すためのゴブ送り出し機構と、
前記ブランクモールド内にパリソンを形成するように配置および構成されるプランジャと、
前記ブランクモールドの垂直方向下方に位置するブローモールドと、
前記ブランクモールド内に形成された前記パリソンを垂直に前記ブローモールドに下げるための移送機構と、
前記ブローモールド内で前記パリソンをガラス容器に吹込み成形するための吹込みヘッドと、
前記ブローモールドから前記ガラス容器を取り出すための取り出し機構と
を備える垂直ＩＳマシン。
【請求項１６】
垂直ＩＳマシンを動作する方法であって、
溶融ガラスのゴブを少なくとも１つのブランクモールドへ送り出すステップと、
前記溶融ガラスのゴブから前記少なくとも１つのブランクモールド内でパリソンを形成するように、プランジャを前記少なくとも１つのブランクモールドの中に取り出し可能に挿入するステップと、
前記少なくとも１つのブランクモールド内で形成された前記パリソンを、前記少なくとも１つのブランクモールドの下方に位置する少なくとも１つのブローモールドの中に垂直に下げるステップ、
吹込みヘッドが前記少なくとも１つのブローモールドの上に取り外し可能に配置された状態で前記パリソンをガラス容器に吹込み成形するステップと、
取り出し機構を用いて前記ガラス容器を前記ブローモールドから取り出すステップと
を含む方法。
【請求項１７】
一対のブランクモールドの半体を１つにまとめて、前記取り出し可能に挿入するステップの前に前記パリソンが形成される前記少なくとも１つのブランクモールドを形成するように、一対のブランクモールドの半体を張り出すステップと、
前記一対のブランクモールドの半体を互いから離れるように間隔をおいて配置して、前記ブランクモールドの半体が後退させられた後に生じる前記下げるステップを助けるように前記一対のブランクモールドの半体を後退させるステップと
をさらに含む、請求項１６に記載の方法。
【請求項１８】
前記下げるステップが、
前記少なくとも１つのブランクモールド内で形成された前記パリソンを少なくとも１つの再加熱囲い板へ下げるステップと、
前記少なくとも１つの再加熱囲い板内で前記パリソンを再加熱するステップと、
前記少なくとも１つの再加熱囲い板から前記パリソンを下げて、前記パリソンを前記少なくとも１つのブローモールドへ運ぶステップと
を含む、請求項１６に記載の方法。
【請求項１９】
前記再加熱するステップが、
一対の再加熱囲い板の半体を１つにまとめて前記パリソンが再加熱される前記少なくとも１つの再加熱囲い板を形成するように一対の再加熱囲い板の半体を張り出すステップと、
前記少なくとも１つの再加熱囲い板から前記パリソンを下げて前記パリソンを前記少なくとも１つのブローモールドへ運ぶのを助けるように、前記一対の再加熱囲い板の半体を互いから離れるように後退させるステップと
を含む、請求項１８に記載の方法。
【請求項２０】
前記吹込み成形するステップが、
一対のブローモールドの半体を１つにまとめて、前記吹込み成形するステップ前に前記ガラス容器が吹込み成形される前記少なくとも１つのブローモールドを形成するように、一対のブローモールドの半体を張り出させるステップと、
前記一対のブローモールドの半体を互いから離れるように間隔をおいて配置して、前記ガラス容器が吹込み成形された後に生じる前記取り出すステップを助けるように前記一対のブローモールドの半体を後退させるステップと
を含む、請求項１６に記載の方法。
【請求項２１】
前記吹込み成形するステップが、
前記ブローモールドの半体が張り出して前記少なくとも１つのブローモールドを形成するときに前記ブローモールドの半体の底によって係合される底板を用意するステップ
をさらに含む、請求項２０に記載の方法。